(57)【要約】【課題】ラックを設ける作業を容易なものにすると共に、ラックが摩り減ったり、破損した場合にも、このラックだけを簡単に取り替えることのできる鞄のハンドル伸縮装置を提供する。【解決手段】外部材１の連通孔１１の少なくとも一側壁寄りに断面リップ溝形状の挿入溝１３を形成し、この挿入溝１３のリップ口１４からラック歯１５ａが露出するようにして、ラック１５を前記挿入溝１３に挿入することにより、外部材１の連通孔１１内にラック１５を設け、前記内部材２の下端部に、前記ラック１５のラック歯１５ａと噛み合うピニオン２１を設け、さらに前記ピニオン２１に係脱自在としてピニオン２１の回転を自由にしたり阻止したりする係合部材２４を、前記内部材２内に弾性的に上下動自在として挿入したリンク２３の下端に連結し、前記リンク２３の上端に、ハンドル４の握り柄３に設けた操作部３２によって操作される揺動レバー３３を連結したものとしている。【選択図】　　　　図１
2004041474.tif 000002
【特許請求の範囲】
【請求項１】
縦方向に互いに平行する連通孔（１１）を有する二本の外部材（１）、および前記外部材（１）の連通孔（１１）内にそれぞれ摺動自在として配設した内部材（２）と前記内部材（２）の上端部に跨設する握り柄（３）とにより構成するハンドル（４）からなり、前記外部材（１）の連通孔（１１）の少なくとも一側壁寄りに断面リップ溝形状の挿入溝（１３）を形成し、この挿入溝（１３）のリップ口（１４）からラック歯（１５ａ）が露出するようにして、ラック（１５）を前記挿入溝（１３）に挿入することにより、外部材（１）の連通孔（１１）内にラック（１５）を設け、前記内部材（２）の下端部に、前記ラック（１５）のラック歯（１５ａ）と噛み合うピニオン（２１）を設け、さらに前記ピニオン（２１）に係脱自在としてピニオン（２１）の回転を自由にしたり阻止したりする係合部材（２４）を、前記内部材（２）内に弾性的に上下動自在として挿入したリンク（２３）の下端に連結し、前記リンク（２３）の上端に、ハンドル（４）の握り柄（３）に設けた操作部（３２）によって操作される揺動レバー（３３）を連結したことを特徴とする鞄のハンドル伸縮装置。
【請求項２】
前記外部材（１）を長尺状の角筒体としたことを特徴とする請求項１記載の鞄のハンドル伸縮装置。
【請求項３】
前記一側壁を外側壁（１２ａ）または内側壁（１２ｂ）としたことを特徴とする請求項１記載の鞄のハンドル伸縮装置。
【請求項４】
前記ラック歯（１５ａ）を、挿入孔（１３）のリップ口（１４）と略同一幅、露出するようにしたり、挿入孔（１３）のリップ口（１４）より広い幅、露出するようにしたことを特徴とする請求項１記載の鞄のハンドル伸縮装置。
【発明の詳細な説明】
【０００１】
【発明の属する技術分野】
この発明は、旅行用トランクなどの鞄に装着され、ハンドルを使用者の最適な寸法に伸ばして、運搬し易くすることのできる鞄のハンドル伸縮装置に関するものである。
【０００２】
【従来の技術】
従来、この種の鞄のハンドル伸縮装置として、例えば、本件発明者が先に出願したようなラックアンドピニオン機構を適用することにより、ハンドルを細かい間隔で多段階に寸法調節することができるようにしたものが存在する。
【０００３】
この従来の鞄のハンドル伸縮装置は、図１５、１６または図１７、１８に示したように、縦方向に互いに平行する溝部１１１を形成する二本の外部材１０１、および前記外部材１０１の溝部１１１内にそれぞれ摺動自在として配設した内部材１０２と前記内部材１０２の上端部に跨設する握り柄１０３とにより構成するハンドル１０４からなる。前記外部材１０１の溝部１１１には、外側壁または内外側壁に沿ってラック１１３を設けると共に、前記内部材１０２の下端部には、前記ラック１１３のラック歯１１３ａと噛み合うピニオン１２１を設けたものとしている。さらに、前記ピニオン１２１に係脱自在としてピニオン１２１の回転を自由にしたり阻止したりする係合部材１２４を、前記内部材１０２内に弾性的に上下動自在として挿入したリンク１２３の下端に連結したものとしている。そして、前記リンク１２３の上端に、ハンドル１０４の握り柄１０３に設けた操作部１３２によって操作される揺動レバー１３３を連結したものとしている。
【０００４】
【発明が解決しようとする課題】
ところで、従来の鞄のハンドル伸縮装置では、前記外部材１０１を長尺状の箱体としているため、このハンドル伸縮装置を取り付ける鞄がハードケース（外装材として合成樹脂板や金属板などの硬質材を使用しているもの）である場合には、鞄のハード面に箱体の開口側を当てれば、このハード面が箱体の蓋体となり、その鞄に都合良く取り付けることができる。しかし、このハンドル伸縮装置を取り付ける鞄がソフトケース（外装材として合成樹脂生地や皮革生地などの軟質材を使用しているもの）である場合には、鞄のソフト面に箱体の開口側を当てても、ソフト面では箱体の蓋体としての機能を果たさず、図示したような、蓋体１０５を外部材１０１に被せた状態にしないと、その鞄に都合良く取り付けることができないという課題を有していた。
【０００５】
さらに、従来の鞄のハンドル伸縮装置では、前記ラック１１３を外部材１０１の溝部１１１の側壁に直接形成したものとしているが、溝部１１１は狭く、その狭い溝部１１１での側壁へのラック１１３の形成作業は非常に手間がかかり、ラック１１３を外部材１０１の溝部１１１の側壁に沿って設けるのは非常に困難であるという課題を有していた。
【０００６】
また、従来の鞄のハンドル伸縮装置では、前記ラック１１３を外部材１０１の溝部１１１の側壁に直接形成したものとしているので、ラック１１３のラック歯１１３ａが摩り減ったり、破損した場合に、ラック１１３のみを取り替えることができず、外部材１０１そのものを取り替えなければならず、分解、組立てに時間が掛かり、その取り替え作業に手間取り非常に面倒であるという課題を有していた。
【０００７】
そこで、この発明は、上記従来の課題を解決するものであり、ラックアンドピニオン機構を適用して、ハンドルを細かい間隔で多段階に寸法調節することができ、しかもそのラックアンドピニオン機構のラックを設ける作業を容易なものにすると共に、ラックが摩り減ったり、破損した場合にも、このラックだけを簡単に取り替えることができ、しかも鞄がハードケースであってもソフトケースであっても、そのままの状態で簡単に取り付けることができる鞄のハンドル伸縮装置を提供することを目的としてなされたものである。
【０００８】
【課題を解決するための手段】
そのため、この発明の鞄のハンドル伸縮装置は、縦方向に互いに平行する連通孔１１を有する二本の外部材１、および前記外部材１の連通孔１１内にそれぞれ摺動自在として配設した内部材２と前記内部材２の上端部に跨設する握り柄３とにより構成するハンドル４からなり、前記外部材１の連通孔１１の少なくとも一側壁寄りに断面リップ溝形状の挿入溝１３を形成し、この挿入溝１３のリップ口１４からラック歯１５ａが露出するようにして、ラック１５を前記挿入溝１３に挿入することにより、外部材１の連通孔１１内にラック１５を設け、前記内部材２の下端部に、前記ラック１５のラック歯１５ａと噛み合うピニオン２１を設け、さらに前記ピニオン２１に係脱自在としてピニオン２１の回転を自由にしたり阻止したりする係合部材２４を、前記内部材２内に弾性的に上下動自在として挿入したリンク２３の下端に連結し、前記リンク２３の上端に、ハンドル４の握り柄３に設けた操作部３２によって操作される揺動レバー３３を連結したものとしている。
【０００９】
そして、この発明の鞄のハンドル伸縮装置は、前記外部材１を長尺状の角筒体としている。
【００１０】
さらに、この発明の鞄のハンドル伸縮装置は、前記一側壁を外側壁１２ａまたは内側壁１２ｂとすることができる。
【００１１】
また、この発明の鞄のハンドル伸縮装置は、前記ラック歯１５ａを、挿入孔１３のリップ口１４と略同一幅、露出するようにしたり、挿入孔１３のリップ口１４より広い幅、露出するようにしている。
【００１２】
【発明の実施の形態】
以下、この発明を添付の図面にしたがって、より詳細に説明する。
【００１３】
図１〜５はこの発明の鞄のハンドル伸縮装置の一実施形態を示しており、図６〜１０はこの発明の鞄のハンドル伸縮装置の他実施形態を示している。何れの実施形態においても、この発明の鞄のハンドル伸縮装置は、縦方向に互いに平行する連通孔１１を有する二本の外部材１、および前記外部材１の連通孔１１内にそれぞれ摺動自在として配設した内部材２と前記内部材２の上端部に跨設する握り柄３とにより構成するハンドル４からなる。
【００１４】
前記外部材１は、合成樹脂成形や金属成形された長尺状の角筒体としており、好ましくは断面形状を平坦な長方形状としており、鞄がハードケースであってもソフトケースであっても、鞄の背面板（図示せず）などに直接、固着することにより、鞄に装着するようにしている。前記外部材１の連通孔１１には、図１〜５に示した実施形態では、その一側壁である外側壁１２ａ寄りに断面リップ溝形状の挿入溝１３を形成し、この挿入溝１３のリップ口１４からラック歯１５ａが露出するようにして、ラック１５を前記挿入溝１３に挿入し、適宜個所をビス止めするなどして固着することにより、外部材１の連通孔１１内にラック１５を設けたものとしている。したがって、前記外部材１の連通孔１１内にラック１５を設ける作業は、非常に容易なものとなり、しかも前記ラック１５は、挿入溝１３から抜脱することにより、取り替えることができるものとなる。また、前記内部材２の下端部には、前記ラック１５のラック歯１５ａと噛み合うピニオン２１を設けたものとしている。すなわち、ピニオン２１は、前記内部材２の下端部に軸支されると共に、内部材２の下端部側壁の切欠孔２２から一部を突出させて、その部分を前記ラック１５のラック歯１５ａと噛み合うようにしている。さらに、前記外部材１の連通孔１１には、図６〜１０に示した実施形態では、対向する側壁である外側壁１２ａ寄り、および内側壁１２ｂ寄りにそれぞれ断面リップ溝形状の挿入溝１３を形成し、これら挿入溝１３のリップ口１４からラック歯１５ａがそれぞれ露出するようにして、ラック１５を前記挿入溝１３に挿入し、適宜個所をビス止めするなどして固着することにより、外部材１の連通孔１１内にラック１５を設けたものとしている。したがって、前記外部材１の連通孔１１内にラック１５を設ける作業は、非常に容易なものとなり、しかも前記ラック１５は、挿入溝１３から抜脱することにより、取り替えることができるものとなる。また、前記内部材２の下端部には、前記ラック１５のラック歯１５ａそれぞれと噛み合うピニオン２１を設けたものとしている。すなわち、両ピニオン２１は、前記内部材２の下端部に軸支されると共に、内部材２の下端部両側壁の切欠孔２２からそれぞれの一部を突出させて、それらの部分を前記それぞれのラック１５のラック歯１５ａと噛み合うようにしている。なお、前記内部材２の下端部に両ピニオン２１を軸支するには、それぞれを並列させたものとしてもよいが、図示したように、斜め方向にずらしたものとするのが、内部材２を細いコンパクトなものにすることができ、この内部材２に合わせて外部材１も細いコンパクトなものにすることができる。
【００１５】
このように構成した実施形態において、前記ラック１５を外部材１の連通孔１１の対向するそれぞれの側壁寄りに設けたものは、前記ラック１５を外部材１の連通孔１１の一側壁寄りに設けたものより、強度性に優れたものになる。また、前記挿入溝１３は、外部材１の側壁にリブを形成するなどして連通孔１１に直接形成したものとしたり、外部材１の連通孔１１にリップ溝形材（図示せず）を挿入して形成したものとすることができる。さらに、前記ラック歯１５ａは、挿入溝１３のリップ口１４と略同一幅、露出するようにしたり、挿入溝１３のリップ口１４より広い幅、露出するようにすることができる。すなわち、図１、６に示したように、ラック１５の断面形状を凸形状とし、突出部分にラック歯１５ａを形成したものとし、このラック１５の平坦部分を挿入溝１３に挿入し、ラック歯１５ａを形成した突出部分をリップ口１４から突出させれば、リップ口１４と略同一幅、露出することができる。そして、図１１〜１４に示したように、ラック１５の断面形状を略Ｈ字形状とし、一方の平坦部分にラック歯１５ａを形成したものとし、このラック１５のもう一方の平坦部分を挿入溝１３に挿入し、ラック歯１５ａを形成した平坦部分をリップ口１４から突出させれば、リップ口１４より広い幅、露出するようにすることができる。
【００１６】
前記内部材２は、合成樹脂成形や金属成形された長尺状の筒体としており、内部に棒状としたリンク２３を挿入し、そのリンク２３の下端に、前記ピニオン２１に係脱自在としてピニオン２１の回転を自由にしたり阻止したりする係合部材２４を連結したものとしている。前記リンク２３は、図１〜５に示した実施形態では、後記する揺動レバー３３の支軸に巻装したねじりバネ４１の弾力によって、前記内部材２内に弾性的に上下動自在として挿入したものとしている。また、前記リンク２３は、図６〜１０に示した実施形態では、コイルバネ４２を巻装し、このコイルバネ４２の上端を握り柄３内に形成した押当部３１に押し当てると共にコイルバネ４２の下端をリンク２３に形成した係止部２３ａに係止させることにより、このコイルバネ４２の弾力によって、前記内部材２内に弾性的に上下動自在として挿入したものとしている。そして、前記係合部材２４は、合成樹脂成形体などとしており、下部に突起部２４ａを設けたものとして、この突起部２４ａを前記ピニオン２１に係脱自在として前記ピニオン２１の回転を自由にしたり阻止したりするようにしている。
【００１７】
前記握り柄３は、合成樹脂成形や金属成形された略コ字状の二分割自在とした部材より成り、それらの部材をビス止めするなどして結合し、内部に空間を有するものとしている。そして、前記握り柄３は、その略コ字状両端部を前記内部材２の両上端部にビス止めするなどして結合することにより、前記内部材２の上端部に跨設している。さらに、前記握り柄３の空間には、内部から外部に突出し、外部から押込み操作できるようにした操作部３２を設ける共に、この操作部３２の両側部にそれぞれ揺動レバー３３を設けている。前記揺動レバー３３は、その中央部を握り柄３の内部に軸支しており、それぞれの一端を前記操作部３２の両側部に軸支し、他端を前記リンク２３の上端に軸支して連結したものとしている。
【００１８】
以上のように構成したこの発明の鞄のハンドル伸縮装置は、次のような操作によってハンドルを伸縮させることができる。
【００１９】
すなわち、図２、７に示した状態において、使用者がこの発明の鞄のハンドル伸縮装置の握り柄３を握り、親指で操作部３２を押込み操作すると、操作部３２に軸支した側の揺動レバー３３の一端が下がり、リンク２３に軸支した側の揺動レバー３３の他端が上がる。すると、前記リンク２３が引き上げられ、リンク２３の下端に連結した係合部材２４も引き上げられる。この係合部材２４が引き上げられると、図４、９に示したように、係合部材２４の下部に設けた突起部２４ａとピニオン２１との係合が解除され、ピニオン２１の回転が自由になる。
【００２０】
そこで、使用者がハンドル伸縮装置の握り柄３を握ったまま、この握り柄３を引き上げると、ピニオン２１が回転してラック１５のラック歯１５ａと噛み合いながら上昇するので、このピニオン２１を下端部に軸支している内部材２も外部材１を徐々に摺動して、外部材１から上に突き出させることができ、図５、１０に示したように、ハンドル４を適当な長さに伸ばして使用者の最適な寸法にすることができる。
【００２１】
そして、このハンドル４を使用者の最適な寸法にした状態で、使用者が操作部３２の押込み操作を中止すると、ねじりバネ４１やコイルバネ４２の弾力で操作部３２が元の状態に戻り、操作部３２に軸支した側の揺動レバー３３の一端が上がり、リンク２３に軸支した側の揺動レバー３３の他端が下がる。すると、前記リンク２３が押し下げられ、リンク２３の下端に連結した係合部材２４も押し下げられる。この係合部材２４が押し下げられると、係合部材２４の下部に設けた突起部２４ａとピニオン２１とが係合し、ピニオン２１の回転が阻止される。
【００２２】
したがって、この状態で、使用者がハンドル伸縮装置の握り柄３を握り、この握り柄３を引き上げても、ピニオン２１の回転が阻止されているので、ピニオン２１がラック１５のラック歯１５ａと噛み合った状態で動かなくなり、前記ハンドル４が使用者の最適な寸法に維持され、この状態で鞄を運搬すれば、ハンドル４が持ちやすく運搬し易いものとなる。
【００２３】
次に、前記ハンドル４を使用者の最適な寸法にした状態において、使用者が再びハンドル伸縮装置の握り柄３を握り、親指で操作部３２を押込み操作すると、操作部３２に軸支した側の揺動レバー３３の一端が下がり、リンク２３に軸支した側の揺動レバー３３の他端が上がる。すると、リンク２３が引き上げられ、リンク２３の下端に連結した係合部材２４も引き上げられる。この係合部材２４が引き上げられると、前記したように係合部材２４の下部に設けた突起部２４ａとピニオン２１との係合が解除され、ピニオン２１の回転が自由になる。
【００２４】
そこで、使用者がハンドル伸縮装置の握り柄３を握ったまま、この握り柄３を押し下げると、ピニオン２１が回転してラック１５のラック歯１５ａと噛み合いながら下降するので、このピニオン２１を下端部に軸支している内部材２も外部材１を徐々に摺動して、外部材１内に入り込ませることができ、図４、９に示したように、ハンドル４を縮ませた元の短い状態にすることができる。
【００２５】
そして、このハンドル４を縮ませた元の短い状態で、使用者が操作部３２の押込み操作を中止すると、ねじりバネ４１やコイルバネ４２の弾力で操作部３２が元の状態に戻り、操作部３２に軸支した側の揺動レバー３３の一端が上がり、リンク２３に軸支した側の揺動レバー３３の他端が下がる。すると、前記リンク２３が押し下げられ、リンク２３の下端に連結した係合部材２４も押し下げられる。この係合部材２４が押し下げられると、図２、７に示したように、係合部材２４の下部に設けた突起部２４ａとピニオン２１とが係合し、ピニオン２１の回転が阻止される。
【００２６】
したがって、この状態で、使用者がハンドル伸縮装置の握り柄３を握り、この握り柄３を引き上げても、ピニオン２１の回転が阻止されているので、ピニオン２１がラック１５のラック歯１５ａと噛み合った状態で動かなくなり、前記ハンドル４が縮んだ元の短い状態に維持され、この状態で鞄を保管すれば、ハンドル４が邪魔ならず保管し易いものとなる。
【００２７】
【発明の効果】
この発明は、以上に述べたように構成されているので、ハンドルを細かい間隔で多段階に寸法調節することができ、しかもラックアンドピニオン機構のラックを設ける作業を容易なものとなり、ラックが摩り減ったり、破損した場合にも、このラックだけを簡単に取り替えることができ、しかも鞄がハードケースであってもソフトケースであっても、そのままの状態で簡単に取り付けることができるものとなった。
【図面の簡単な説明】
【図１】この発明の鞄のハンドル伸縮装置の一実施形態を示す一部切欠分解斜視図である。
【図２】図１に示す鞄のハンドル伸縮装置のハンドルを縮ませた状態における一部断面正面図である。
【図３】図２中のＡ−Ａ線による断面図である。
【図４】図２に示す鞄のハンドル伸縮装置のピニオンの回転を自由にした状態における一部断面正面図である。
【図５】図２に示す鞄のハンドル伸縮装置のハンドルを伸ばした状態における一部断面正面図である。
【図６】この発明の鞄のハンドル伸縮装置の他実施形態を示す一部切欠分解斜視図である。
【図７】図６に示す鞄のハンドル伸縮装置のハンドルを縮ませた状態における一部断面正面図である。
【図８】図７中のＢ−Ｂ線による断面図である。
【図９】図７に示す鞄のハンドル伸縮装置のピニオンの回転を自由にした状態における一部断面正面図である。
【図１０】図７に示す鞄のハンドル伸縮装置のハンドルを伸ばした状態における一部断面正面図である。
【図１１】図１〜５に示す実施形態における鞄のハンドル伸縮装置の外部材およびその外部材に設けるラックの他の例を示す斜視図である。
【図１２】図１１に示す鞄のハンドル伸縮装置の外部材およびその外部材に設けたラックの断面図である。
【図１３】図６〜１０に示す実施形態における鞄のハンドル伸縮装置の外部材およびその外部材に設けるラックの他の例を示す斜視図である。
【図１４】図１３に示す鞄のハンドル伸縮装置の外部材およびその外部材に設けたラックの断面図である。
【図１５】従来の鞄のハンドル伸縮装置の一例を示す一部切欠分解斜視図である。
【図１６】図１５に示す従来の鞄のハンドル伸縮装置のハンドルを縮ませた状態における一部断面正面図である。
【図１７】従来の鞄のハンドル伸縮装置の他例を示す一部切欠分解斜視図である。
【図１８】図１７に示す従来の鞄のハンドル伸縮装置のハンドルを縮ませた状態における一部断面正面図である。
【符号の説明】
１　外部材
２　内部材
３　握り柄
４　ハンドル
１１　連通孔
１２ａ　外側壁
１２ｂ　内側壁
１３　挿入孔
１４　リップ口
１５　ラック
１５ａ　ラック歯
２１　ピニオン
２３　リンク
３２　操作部
３３　揺動レバー
【図１】
2004041474.tif 000003
【図２】
2004041474.tif 000004
【図３】
2004041474.tif 000005
【図４】
2004041474.tif 000006
【図５】
2004041474.tif 000007
【図６】
2004041474.tif 000008
【図７】
2004041474.tif 000009
【図８】
2004041474.tif 000010
【図９】
2004041474.tif 000011
【図１０】
2004041474.tif 000012
【図１１】
2004041474.tif 000013
【図１２】
2004041474.tif 000014
【図１３】
2004041474.tif 000015
【図１４】
2004041474.tif 000016
【図１５】
2004041474.tif 000017
【図１６】
2004041474.tif 000018
【図１７】
2004041474.tif 000019
【図１８】
2004041474.tif 000020